(57)【要約】【課題】接続環境に応じて画質を調整して最適な画作りを実現し、画質の劣化を防ぐことができるディスプレイ表示システムを提供する。【解決手段】液晶ディスプレイ表示装置１と家庭用テレビゲーム機２との接続に、映像信号以外に情報信号も通信可能なＤ端子ケーブルを用いる。Ｄ端子ケーブルの第１、２の予備ライン３、４により液晶ディスプレイ表示装置１の種別と表示応答速度を示す属性情報信号を家庭用テレビゲーム機２へ送信する。家庭用テレビゲーム機２は、受信した属性情報信号を基に、液晶ディスプレイ表示装置１において表示される映像信号のフレーム周波数を決定し、液晶ディスプレイ表示装置１にフレーム周波数を変更させるためのフレーム情報信号を生成して、Ｄ端子ケーブルの第３の予備ライン５により液晶ディスプレイ表示装置１へ送信する。【選択図】図１
2007133274.tif 000002
【特許請求の範囲】
【請求項１】
ディスプレイ表示装置と映像信号出力装置とを接続してなるディスプレイ表示システムであって、
映像信号出力装置は、
ディスプレイ表示装置から属性情報を受信する属性情報受信手段と、
属性情報を基に、ディスプレイ表示装置による映像信号の補正を制御するための制御信号を生成する制御信号生成手段と、
制御信号をディスプレイ表示装置へ送信する制御信号送信手段と、
映像信号をディスプレイ表示装置へ送信する映像信号送信手段と、を有し、
ディスプレイ表示装置は、
映像信号出力装置から映像信号を受信する映像信号受信手段と、
自機に関する属性情報を映像信号出力装置へ送信する属性情報送信手段と、
映像信号出力装置から制御信号を受信する制御信号受信手段と、
制御信号に従い映像信号を補正する補正手段と、
補正後の映像信号を画面に表示する表示手段と、を有する、
ことを特徴とするディスプレイ表示システム。
【請求項２】
ディスプレイ表示装置と映像信号出力装置とを接続してなるディスプレイ表示システムであって、
映像信号出力装置は、
ディスプレイ表示装置に関する属性情報を入力する属性情報入力手段と、
属性情報を基に、ディスプレイ表示装置による映像信号の補正を制御するための制御信号を生成する制御信号生成手段と、
制御信号を映像信号に重畳する制御信号重畳手段と、
制御信号が重畳された映像信号をディスプレイ表示装置へ送信する映像信号送信手段と、を有し、
ディスプレイ表示装置は、
映像信号出力装置から制御信号が重畳された映像信号を受信する映像信号受信手段と、
制御信号が重畳された映像信号から制御信号を分離する制御信号分離手段と、
制御信号に従い制御信号分離後の映像信号を補正する補正手段と、
補正後の映像信号を画面に表示する表示手段と、を有する、
ことを特徴とするディスプレイ表示システム。
【請求項３】
ディスプレイ表示装置と映像信号出力装置とを接続してなるディスプレイ表示システムであって、
映像信号出力装置は、
ディスプレイ表示装置に関する属性情報を入力する属性情報入力手段と、
属性情報を基に映像信号を補正する補正手段と、
補正後の映像信号をディスプレイ表示装置へ送信する映像信号送信手段と、を有し、
ディスプレイ表示装置は、
映像信号出力装置から補正後の映像信号を受信する映像信号受信手段と、
補正後の映像信号を画面に表示する表示手段と、を有する、
ことを特徴とするディスプレイ表示システム。
【請求項４】
請求項１もしくは２のいずれかに記載のディスプレイ表示システムであって、
属性情報はディスプレイ表示装置の種別を示す情報であり、
前記制御信号生成手段は、属性情報を基に、映像信号のフレーム周波数を変更させるための制御信号を生成する、
ことを特徴とするディスプレイ表示システム。
【請求項５】
請求項１もしくは２のいずれかに記載のディスプレイ表示システムであって、
属性情報はディスプレイ表示装置の表示応答速度を示す情報であり、
前記制御信号生成手段は、属性情報を基に、映像信号のフレーム周波数を変更させるための制御信号を生成する、
ことを特徴とするディスプレイ表示システム。
【請求項６】
請求項３記載のディスプレイ表示システムであって、
属性情報はディスプレイ表示装置の種別を示す情報であり、
前記補正手段は、属性情報を基に映像信号のフレーム周波数を変更する、
ことを特徴とするディスプレイ表示システム。
【請求項７】
請求項３記載のディスプレイ表示システムであって、
属性情報はディスプレイ表示装置の表示応答速度を示す情報であり、
前記補正手段は、属性情報を基に映像信号のフレーム周波数を変更する、
ことを特徴とするディスプレイ表示システム。
【請求項８】
接続先のディスプレイ表示装置から属性情報を受信する属性情報受信手段と、
属性情報を基に、接続先のディスプレイ表示装置による映像信号の補正を制御するための制御信号を生成する制御信号生成手段と、
制御信号を接続先のディスプレイ表示装置へ送信する制御信号送信手段と、
映像信号を接続先のディスプレイ表示装置へ送信する映像信号送信手段と、
を有することを特徴とする映像信号出力装置。
【請求項９】
ディスプレイ表示装置に関する属性情報を入力する属性情報入力手段と、
属性情報を基に、接続先のディスプレイ表示装置による映像信号の補正を制御するための制御信号を生成する制御信号生成手段と、
制御信号を映像信号に重畳する制御信号重畳手段と、
制御信号が重畳された映像信号を接続先のディスプレイ表示装置へ送信する映像信号送信手段と、を有することを特徴とする映像信号出力装置。
【請求項１０】
ディスプレイ表示装置に関する属性情報を入力する属性情報入力手段と、
属性情報を基に映像信号を補正する補正手段と、
補正後の映像信号をディスプレイ表示装置へ送信する映像信号送信手段と、
を有することを特徴とする映像信号出力装置。
【請求項１１】
請求項８もしくは９のいずれかに記載の映像信号出力装置であって、
属性情報はディスプレイ表示装置の種別を示す情報であり、
前記制御信号生成手段は、属性情報を基に、映像信号のフレーム周波数を変更させるための制御信号を生成する、
ことを特徴とする映像信号出力装置。
【請求項１２】
請求項８もしくは９のいずれかに記載の映像信号出力装置であって、
属性情報はディスプレイ表示装置の表示応答速度を示す情報であり、
前記制御信号生成手段は、属性情報を基に、映像信号のフレーム周波数を変更させるための制御信号を生成する、
ことを特徴とする映像信号出力装置。
【請求項１３】
請求項１０記載の映像信号出力装置であって、
属性情報はディスプレイ表示装置の種別を示す情報であり、
前記補正手段は、属性情報を基に映像信号のフレーム周波数を変更する、
ことを特徴とする映像信号出力装置。
【請求項１４】
請求項１０記載の映像信号出力装置であって、
属性情報はディスプレイ表示装置の表示応答速度を示す情報であり、
前記補正手段は、属性情報を基に映像信号のフレーム周波数を変更する、
ことを特徴とする映像信号出力装置。
【請求項１５】
接続先の映像信号出力装置から映像信号を受信する映像信号受信手段と、
自機に関する属性情報を接続先の映像信号出力装置へ送信する属性情報送信手段と、
接続先の映像信号出力装置から制御信号を受信する制御信号受信手段と、
制御信号に従い映像信号を補正する補正手段と、
補正後の映像信号を画面に表示する表示手段と、
を有することを特徴とするディスプレイ表示装置。
【請求項１６】
接続先の映像信号出力装置から制御信号が重畳された映像信号を受信する映像信号受信手段と、
制御信号が重畳された映像信号から制御信号を分離する制御信号分離手段と、
制御信号に従い制御信号分離後の映像信号を補正する補正手段と、
補正後の映像信号を画面に表示する表示手段と、
を有することを特徴とするディスプレイ表示装置。
【請求項１７】
請求項１５記載のディスプレイ表示装置であって、
属性情報はディスプレイ表示装置の種別を示す情報であり、
前記制御信号受信手段は、接続先の映像信号出力装置から映像信号のフレーム周波数を変更させるための制御信号を受信し、
前記補正手段は、制御信号に従い映像信号のフレーム周波数を変更する、
ことを特徴とするディスプレイ表示装置。
【請求項１８】
請求項１５記載のディスプレイ表示装置であって、
属性情報はディスプレイ表示装置の表示応答速度を示す情報であり、
前記制御信号受信手段は、接続先の映像信号出力装置から映像信号のフレーム周波数を変更させるための制御信号を受信し、
前記補正手段は、制御信号に従い映像信号のフレーム周波数を変更する、
ことを特徴とするディスプレイ表示装置。
【請求項１９】
請求項１６記載のディスプレイ表示装置であって、
前記映像信号受信手段は、接続先の映像信号出力装置から映像信号のフレーム周波数を変更させるための制御信号が重畳された映像信号を受信し、
前記補正手段は、制御信号に従い映像信号のフレーム周波数を変更する、
ことを特徴とするディスプレイ表示装置。
【発明の詳細な説明】
【技術分野】
【０００１】
本発明は、ＣＲＴや、液晶ディスプレイ（ＬＣＤ）、プラズマディスプレイ（ＰＤＰ）などの様々な種類のディスプレイ表示装置と、ディスプレイ表示装置に接続して使用するＤＶＤプレーヤや家庭用テレビゲーム機などの様々な種類の映像信号出力装置とを接続してなるディスプレイ表示システム、並びに映像信号出力装置、ディスプレイ表示装置に関する。
【背景技術】
【０００２】
従来、テレビやパソコン用モニタなどのディスプレイ表示装置といえばＣＲＴが一般的であった。そのため従来の映像信号出力装置は、ＣＲＴで映像を見ることを前提に最適な画像となるように信号を調整して、ディスプレイ表示装置に映像信号を送信していた。例えば、ブラウン管を用いたディスプレイ装置において、テレビチューナや、ビデオデッキ、ビデオディスク等の各ソースからのビデオ信号入力を選択する信号セレクタと、この選択された入力信号からカラードライブ信号ＲＧＢを得る信号処理機部とを備える信号処理機器を着脱自在に構成したディスプレイ装置が従来から提案されているが、やはりＣＲＴで映像を見ることを前提にビデオ信号を処理していた（例えば、特許文献１参照。）。
【０００３】
しかしながら、今日、液晶ディスプレイやプラズマディスプレイなどの次世代ディスプレイの普及により、ディスプレイ表示装置の種類が豊富になりつつある。また、ディスプレイ表示装置は外部入力端子としてコンポジット、Ｓビデオ、Ｄ端子などを搭載しており、家庭用テレビゲーム機やＤＶＤプレーヤなどといった様々な映像信号出力装置を接続して映像を楽しむことができる。
【０００４】
図２１にディスプレイ表示装置と映像信号出力装置とを接続してなるディスプレイ表示システムの概略を示す。図２１において、３９はディスプレイ表示装置、４０は映像信号出力装置、４１は接続ケーブルを示す。
【０００５】
図２２に示す表に、ディスプレイ表示装置と映像信号出力装置を例示する。今日では、ディスプレイ表示装置の種類もさることながら、外部入力端子に接続することができる映像信号出力装置の種類も豊富になり、その組み合わせは多種多彩になりつつある。
【０００６】
このように、液晶ディスプレイやプラズマディスプレイなどの次世代ディスプレイの普及によりディスプレイ表示装置の種類が豊富になり、映像信号出力装置の接続先が必ずしもＣＲＴに限られない状況になりつつある。そこで、映像信号出力装置として、多種類のディスプレイ表示装置に接続して使用することを想定して、特定のディスプレイ表示装置に特化せず、どのようなディスプレイ表示装置に出力しても平均的な画像となるように映像信号を調整（画作り）するものが提案されている。
【０００７】
しかしながら、従来は、映像信号を送信する映像信号出力装置と、映像信号を受信し表示するディスプレイ表示装置が、互いにどのような機器が接続されているかを認識することなく映像信号を送受信して画像を画面に表示していたため、映像信号出力装置から送信される画像の種類と接続先のディスプレイ表示装置の特性によっては、最適な画像が表示されないといった問題が起こる。
【０００８】
例えば、液晶ディスプレイ表示装置に家庭用テレビゲーム機を接続した場合において、動きの激しいゲームなどで単位時間あたりの画像フレーム数（フレーム周波数）が多くなれば、液晶ディスプレイ独特の残像が目立つようになり、スムーズな動きを表示できないという問題がある。図２３に、家庭用テレビゲーム機から送信される映像の一例を示す。液晶ディスプレイパネルでは、図２３（ａ）に示すように残像が目立ち、画質の劣化の原因となっている。残像の原因は、主にディスプレイ表示装置の表示応答速度に起因しており、画像フレームの更新（画面の書き換え）に対して表示が追い着かないためであることが多い。
【０００９】
そのため、残像を目立たなくするには、例えば、図２３（ｂ）に示すように、表示する映像において一部の画像フレームを間引いて表示することが必要となり、ディスプレイ表示装置もしくは映像信号出力装置において、表示する映像のフレーム周波数をディスプレイ表示装置の特性に応じて調整するといったことが必要となってくる。
【特許文献１】特開昭６１−２８３２８５号公報
【発明の開示】
【発明が解決しようとする課題】
【００１０】
本発明は、上記問題点に鑑み、ディスプレイ表示装置の種別や表示応答速度といったディスプレイ表示装置固有の属性情報を基に映像信号を補正することにより、様々な種類のディスプレイ表示装置と様々な種類の映像信号出力装置を接続した場合においても、ディスプレイ表示装置の特性に応じた映像信号を生成して画面に表示することができ、接続環境に応じて画質を調整して最適な画作りを実現し、画質の劣化を防ぐことができるディスプレイ表示システム、並びに映像信号出力装置、ディスプレイ表示装置を提供することを目的とする。
【課題を解決するための手段】
【００１１】
本発明の請求項１記載のディスプレイ表示システムは、ディスプレイ表示装置と映像信号出力装置とを接続してなるディスプレイ表示システムであって、映像信号出力装置は、ディスプレイ表示装置から属性情報を受信する属性情報受信手段と、属性情報を基に、ディスプレイ表示装置による映像信号の補正を制御するための制御信号を生成する制御信号生成手段と、制御信号をディスプレイ表示装置へ送信する制御信号送信手段と、映像信号をディスプレイ表示装置へ送信する映像信号送信手段と、を有し、ディスプレイ表示装置は、映像信号出力装置から映像信号を受信する映像信号受信手段と、自機に関する属性情報を映像信号出力装置へ送信する属性情報送信手段と、映像信号出力装置から制御信号を受信する制御信号受信手段と、制御信号に従い映像信号を補正する補正手段と、補正後の映像信号を画面に表示する表示手段と、を有する、ことを特徴とする。
【００１２】
また、本発明の請求項２記載のディスプレイ表示システムは、ディスプレイ表示装置と映像信号出力装置とを接続してなるディスプレイ表示システムであって、映像信号出力装置は、ディスプレイ表示装置に関する属性情報を入力する属性情報入力手段と、属性情報を基に、ディスプレイ表示装置による映像信号の補正を制御するための制御信号を生成する制御信号生成手段と、制御信号を映像信号に重畳する制御信号重畳手段と、制御信号が重畳された映像信号をディスプレイ表示装置へ送信する映像信号送信手段と、を有し、ディスプレイ表示装置は、映像信号出力装置から制御信号が重畳された映像信号を受信する映像信号受信手段と、制御信号が重畳された映像信号から制御信号を分離する制御信号分離手段と、制御信号に従い制御信号分離後の映像信号を補正する補正手段と、補正後の映像信号を画面に表示する表示手段と、を有する、ことを特徴とする。
【００１３】
また、本発明の請求項３記載のディスプレイ表示システムは、ディスプレイ表示装置と映像信号出力装置とを接続してなるディスプレイ表示システムであって、映像信号出力装置は、ディスプレイ表示装置に関する属性情報を入力する属性情報入力手段と、属性情報を基に映像信号を補正する補正手段と、補正後の映像信号をディスプレイ表示装置へ送信する映像信号送信手段と、を有し、ディスプレイ表示装置は、映像信号出力装置から補正後の映像信号を受信する映像信号受信手段と、補正後の映像信号を画面に表示する表示手段と、を有する、ことを特徴とする。
【００１４】
また、本発明の請求項４記載のディスプレイ表示システムは、請求項１もしくは２のいずれかに記載のディスプレイ表示システムであって、属性情報はディスプレイ表示装置の種別を示す情報であり、前記制御信号生成手段は、属性情報を基に、映像信号のフレーム周波数を変更させるための制御信号を生成する、ことを特徴とする。
【００１５】
また、本発明の請求項５記載のディスプレイ表示システムは、請求項１もしくは２のいずれかに記載のディスプレイ表示システムであって、属性情報はディスプレイ表示装置の表示応答速度を示す情報であり、前記制御信号生成手段は、属性情報を基に、映像信号のフレーム周波数を変更させるための制御信号を生成する、ことを特徴とする。
【００１６】
また、本発明の請求項６記載のディスプレイ表示システムは、請求項３記載のディスプレイ表示システムであって、属性情報はディスプレイ表示装置の種別を示す情報であり、前記補正手段は、属性情報を基に映像信号のフレーム周波数を変更する、ことを特徴とする。
【００１７】
また、本発明の請求項７記載のディスプレイ表示システムは、請求項３記載のディスプレイ表示システムであって、属性情報はディスプレイ表示装置の表示応答速度を示す情報であり、前記補正手段は、属性情報を基に映像信号のフレーム周波数を変更する、ことを特徴とする。
【００１８】
また、本発明の請求項８記載の映像信号出力装置は、接続先のディスプレイ表示装置から属性情報を受信する属性情報受信手段と、属性情報を基に、接続先のディスプレイ表示装置による映像信号の補正を制御するための制御信号を生成する制御信号生成手段と、制御信号を接続先のディスプレイ表示装置へ送信する制御信号送信手段と、映像信号を接続先のディスプレイ表示装置へ送信する映像信号送信手段と、を有することを特徴とする。
【００１９】
また、本発明の請求項９記載の映像信号出力装置は、ディスプレイ表示装置に関する属性情報を入力する属性情報入力手段と、属性情報を基に、接続先のディスプレイ表示装置による映像信号の補正を制御するための制御信号を生成する制御信号生成手段と、制御信号を映像信号に重畳する制御信号重畳手段と、制御信号が重畳された映像信号を接続先のディスプレイ表示装置へ送信する映像信号送信手段と、を有することを特徴とする。
【００２０】
また、本発明の請求項１０記載の映像信号出力装置は、ディスプレイ表示装置に関する属性情報を入力する属性情報入力手段と、属性情報を基に映像信号を補正する補正手段と、補正後の映像信号をディスプレイ表示装置へ送信する映像信号送信手段と、を有することを特徴とする。
【００２１】
また、本発明の請求項１１記載の映像信号出力装置は、請求項８もしくは９のいずれかに記載の映像信号出力装置であって、属性情報はディスプレイ表示装置の種別を示す情報であり、前記制御信号生成手段は、属性情報を基に、映像信号のフレーム周波数を変更させるための制御信号を生成する、ことを特徴とする。
【００２２】
また、本発明の請求項１２記載の映像信号出力装置は、請求項８もしくは９のいずれかに記載の映像信号出力装置であって、属性情報はディスプレイ表示装置の表示応答速度を示す情報であり、前記制御信号生成手段は、属性情報を基に、映像信号のフレーム周波数を変更させるための制御信号を生成する、ことを特徴とする。
【００２３】
また、本発明の請求項１３記載の映像信号出力装置は、請求項１０記載の映像信号出力装置であって、属性情報はディスプレイ表示装置の種別を示す情報であり、前記補正手段は、属性情報を基に映像信号のフレーム周波数を変更する、ことを特徴とする。
【００２４】
また、本発明の請求項１４記載の映像信号出力装置は、請求項１０記載の映像信号出力装置であって、属性情報はディスプレイ表示装置の表示応答速度を示す情報であり、前記補正手段は、属性情報を基に映像信号のフレーム周波数を変更する、ことを特徴とする。
【００２５】
また、本発明の請求項１５記載のディスプレイ表示装置は、接続先の映像信号出力装置から映像信号を受信する映像信号受信手段と、自機に関する属性情報を接続先の映像信号出力装置へ送信する属性情報送信手段と、接続先の映像信号出力装置から制御信号を受信する制御信号受信手段と、制御信号に従い映像信号を補正する補正手段と、補正後の映像信号を画面に表示する表示手段と、を有することを特徴とする。
【００２６】
また、本発明の請求項１６記載のディスプレイ表示装置は、接続先の映像信号出力装置から制御信号が重畳された映像信号を受信する映像信号受信手段と、制御信号が重畳された映像信号から制御信号を分離する制御信号分離手段と、制御信号に従い制御信号分離後の映像信号を補正する補正手段と、補正後の映像信号を画面に表示する表示手段と、を有することを特徴とする。
【００２７】
また、本発明の請求項１７記載のディスプレイ表示装置は、請求項１５記載のディスプレイ表示装置であって、属性情報はディスプレイ表示装置の種別を示す情報であり、前記制御信号受信手段は、接続先の映像信号出力装置から映像信号のフレーム周波数を変更させるための制御信号を受信し、前記補正手段は、制御信号に従い映像信号のフレーム周波数を変更する、ことを特徴とする。
【００２８】
また、本発明の請求項１８記載のディスプレイ表示装置は、請求項１５記載のディスプレイ表示装置であって、属性情報はディスプレイ表示装置の表示応答速度を示す情報であり、前記制御信号受信手段は、接続先の映像信号出力装置から映像信号のフレーム周波数を変更させるための制御信号を受信し、前記補正手段は、制御信号に従い映像信号のフレーム周波数を変更する、ことを特徴とする。
【００２９】
また、本発明の請求項１９記載のディスプレイ表示装置は、請求項１６記載のディスプレイ表示装置であって、前記映像信号受信手段は、接続先の映像信号出力装置から映像信号のフレーム周波数を変更させるための制御信号が重畳された映像信号を受信し、前記補正手段は、制御信号に従い映像信号のフレーム周波数を変更する、ことを特徴とする。
【発明の効果】
【００３０】
本発明によれば、様々な種類のディスプレイ表示装置と様々な種類の映像信号出力装置を接続した場合においても、ディスプレイ表示装置の特性に応じた映像信号を生成して画面に表示することができ、接続環境に応じて画質を調整して最適な画作りを実現し、画質の劣化を防ぐことができる。よって、ＣＲＴや、液晶ディスプレイ、プラズマディスプレイなどの各ディスプレイ表示装置の特性に応じた最適な画作りが実現できる。また、既存のインタフェース（ケーブル）を利用することで、コストを極力抑え、比較的容易に実現することができる。
【発明を実施するための最良の形態】
【００３１】
（実施の形態１）
図１は、本発明の実施の形態１におけるディスプレイ表示システムの概略の一例を示す図である。本実施の形態１では、液晶ディスプレイ表示装置と家庭用テレビゲーム機とをＤ端子ケーブルを用いて接続し、液晶ディスプレイ表示装置にゲーム映像を表示させる場合について説明する。なお、ディスプレイ表示装置と映像信号出力装置とを接続する接続ケーブルはＤ端子ケーブルに限るものではなく、映像信号以外に情報信号も通信可能なケーブルであればよい。
【００３２】
図１において、１はディスプレイ表示装置である液晶ディスプレイ表示装置、２は映像信号出力装置である家庭用テレビゲーム機を示す。また、３ないし５はディスプレイ表示装置と映像信号出力装置とを接続するためのＤ端子ケーブルにおける第１ないし第３の予備ラインを示す。第１ないし第３の予備ライン３ないし５は、映像信号以外の情報信号をディスプレイ表示装置と映像信号出力装置間で送受信する。図２にＤ端子のピン配列の概略を示す。７番ピンが第１の予備ライン３、１０番ピンが第２の予備ライン４、１３番ピンが第３の予備ライン５に接続される。
【００３３】
図３に家庭用テレビゲーム機２の概略構成の一例を示す。図３において、６は接続先の液晶ディスプレイ表示装置１から送信される属性情報信号を示す。属性情報信号６は、ディスプレイ表示装置に関する属性情報を示す信号であり、例えばディスプレイ表示装置の種別や表示応答速度を映像信号出力装置に認識させる。
【００３４】
７は接続先の液晶ディスプレイ表示装置１から属性情報信号６を受信する機構である属性情報信号受信部（属性情報受信手段）、８は属性情報信号６を基に、液晶ディスプレイ表示装置１による映像信号の補正を制御するための制御信号を生成する機構であるフレーム情報信号生成部（制御信号生成手段）を示す。具体的には、フレーム情報信号生成部８は、ディスプレイ表示装置の種別や表示応答速度に応じて、表示する映像信号のフレーム周波数を変更させるための制御信号であるフレーム情報信号を生成する。
【００３５】
９はフレーム情報信号を接続先の液晶ディスプレイ表示装置１へ送信する機構であるフレーム情報信号送信部（制御信号送信手段）、１０は接続先の液晶ディスプレイ表示装置１へ送信するフレーム情報信号を示す。
【００３６】
１１はゲーム映像の映像信号を生成する機構である映像信号生成部、１２はゲーム映像の映像信号を接続先の液晶ディスプレイ表示装置１へ送信する機構である映像信号送信部（映像信号送信手段）、１３は接続先の液晶ディスプレイ表示装置１へ送信する映像信号を示す。
【００３７】
図４に液晶ディスプレイ表示装置１の概略構成の一例を示す。図４において、１４は自機に関する属性情報を示す属性情報信号を家庭用テレビゲーム機２へ送信する機構である属性情報信号送信部（属性情報送信手段）、６は接続先の家庭用テレビゲーム機２へ送信する属性情報信号、１０および１３は、接続先の家庭用テレビゲーム機２から送信されるフレーム情報信号および映像信号を示す。
【００３８】
１５は接続先の家庭用テレビゲーム機２から制御信号であるフレーム情報信号１０を受信する機構であるフレーム情報信号受信部（制御信号受信手段）、１６は接続先の家庭用テレビゲーム機２から映像信号１３を受信する機構である映像信号受信部、１７はフレーム情報信号１０に従い、表示する映像信号を補正する機構である出力制御部（補正手段）を示す。具体的には、出力制御部１７は、表示する映像信号のフレーム周波数を変更する。１８は補正後の映像信号（フレーム周波数変更後の映像信号）をディスプレイパネル（画面）に表示する機構である映像表示部（表示手段）を示す。
【００３９】
続いて、属性情報信号６およびフレーム情報信号１０について説明する。
属性情報信号６は、ディスプレイ表示装置の種別や表示応答速度を映像信号出力装置に認識させるための信号である。図５に属性情報信号６の例を示す。属性情報信号６は、Ｄ端子ケーブルの第１および第２の予備ライン３、４を使用して、直流電圧により送受信される。例えば図５に示すように、第１の予備ライン３の出力電圧が２．２Ｖの場合には、ディスプレイ表示装置が液晶ディスプレイ表示装置であることを示す。また、第２の予備ライン４の出力電圧が５Ｖの場合には、ディスプレイ表示装置の表示応答速度が２７ｍｓ以上であることを示す。
【００４０】
フレーム情報信号１０は、フレーム情報信号生成部８により接続先のディスプレイ表示装置の種別や表示応答速度に応じて決定されたフレーム周波数にて映像信号を表示させるための制御信号である。具体的には、映像信号出力装置から映像信号の１フレームに同期して送信され、ディスプレイ表示装置に対して、送信した画像フレームの「表示」、「非表示」を指示する。図６にフレーム情報信号１０の例を示す。フレーム情報信号１０は、Ｄ端子ケーブルの第３の予備ライン５を使用して、直流電圧により送受信される。例えば図６に示すように、第３の予備ライン５の出力電圧が０Ｖ（ＬＯＷレベル）の場合には、そのフレーム情報信号に対応する画像フレームの「表示」が指示される。
【００４１】
続いて、家庭用テレビゲーム機２から送信される映像信号１３と、フレーム情報信号１０と、実際に画面に表示される映像信号の関係について、図７を用いて説明する。図７（ａ）は家庭用テレビゲーム機２から送信される映像信号（ゲーム映像）１３を示す。ここでは、ボールが画面の左下方向から右上方向に移動するシーンを１フレームずつ計７フレームで表示する場合について説明する。図７（ｂ）は映像信号１３の１フレームに同期して家庭用テレビゲーム機２から送信されるフレーム情報信号１０を示す。フレーム情報信号１０は、画面に表示する画像フレームの場合は信号レベルがＬＯＷレベル（０Ｖ）となり、画面に表示しない画像フレームの場合はＨＩＧＨレベル（５Ｖ）となる。図７（ｃ）は、実際に画面に表示される映像信号を示す。フレーム情報信号１０の信号レベルがＨＩＧＨレベルとなっている画像フレーム（図７（ａ）における第２、第４、第６フレーム）は画面には表示されず、代わりに、前画像フレーム（図７（ａ）における第１、第３、第５フレーム）が表示される。
【００４２】
次に、フレーム情報信号１０を用いて、表示する映像信号のフレーム周波数を変更するしくみについて説明する。図８に出力制御部１７の概略構成の一例を示す。図８において、１３は接続先の家庭用テレビゲーム機２から受信した映像信号、１９は映像信号を記憶するためのフレームメモリ、２０はフレームメモリ１９から読み出された映像信号、２１は出力切換部、１０は接続先の家庭用テレビゲーム機２から受信したフレーム情報信号、２２は画面に表示される補正後の映像信号を示す。
【００４３】
フレームメモリ１９には、現在画面に表示中の映像信号が記憶されている。出力切換部２１には２つの入力経路があり、一方は映像信号受信部１６で受信された画像フレームの映像信号が入力される経路１であり、もう一方はフレームメモリ１９に記憶されている現在画面に表示中の画像フレームの映像信号が入力される経路２である。出力切換部２１は、映像信号受信部１６で受信された画像フレームに同期したフレーム情報信号１０に従い経路１もしくは経路２の映像信号を選択して、映像信号２２として出力する。具体的には、フレーム情報信号１０の信号レベルが「表示」を示すＬＯＷレベルの場合は、経路１を選択し、「非表示」を示すＨＩＧＨレベルの場合は、経路２を選択する。経路１を選択した場合は、フレームメモリ１９を映像信号受信部１６で受信された画像フレームの映像信号に更新する。なお、最初の画像フレームの映像信号については、出力切換部２１に入力して映像信号２２として出力するとともに、フレームメモリ１９に記憶する。
【００４４】
このように、画面に表示する画像フレームの更新回数を調整することにより、表示する映像信号２２のフレーム周波数を変更することができる。例えばフレーム周波数を下げるには、フレーム情報信号１０においてＨＩＧＨレベルの期間を多くし、画面に表示する画像フレームの更新回数を少なくすることで実現できる。（図７は、フレーム周波数を通常の５０％に下げた場合の例である。）。
【００４５】
続いて、フレーム周波数の決定方法について説明する。本実施の形態１においては、図５に示すように、表示応答速度が２７ｍｓ以上の場合、１７ｍｓ以上２７ｍｓ未満の場合、１７ｍｓ未満の場合のそれぞれに該当するフレーム周波数をテーブルに用意しており、接続先の液晶ディスプレイ表示装置１の表示応答速度に応じて選択するようにしている。ただし、この手段は一例であって、実際に表示応答速度から計算するなど、様々な方法が考えられる。
【００４６】
図９に家庭用テレビゲーム機２の処理の手順を示す。家庭用テレビゲーム機２は、液晶ディスプレイ表示装置１から属性情報信号６を受信すると（ステップＳ９０１）、その属性情報を基にフレーム周波数を決定し（ステップＳ９０２）、フレーム情報信号１０を生成して（ステップＳ９０３）、映像信号の１フレームに同期させて送信する。
【００４７】
図１０に液晶ディスプレイ表示装置１の処理の手順を示す。液晶ディスプレイ表示装置１は、まず家庭用テレビゲーム機２へ属性情報信号６を送信する（ステップＳ１００１）。その後、家庭用テレビゲーム機２より映像信号１３とともにフレーム情報信号１０を受信すると（ステップＳ１００２、１００３）、該フレーム情報信号１０を基に、受信した映像信号をディスプレイパネル（画面）に表示するか、フレームメモリ１９内の映像信号をディスプレイパネルに表示するかを判断し（ステップＳ１００４〜Ｓ１００６）、受信した映像信号をディスプレイパネルに表示する場合には、その映像信号を用いてフレームメモリ１９を更新する（ステップＳ１００７）。
【００４８】
本実施の形態１によれば、ディスプレイ表示装置により表示される映像が、ディスプレイ表示装置の種別や表示応答速度に応じてフレーム周波数を変更した映像となる。その結果、映像信号出力装置からゲーム映像などの動きの激しい映像信号が送信されても、残像を抑圧し、スムーズな表示を行うことが可能となり、視聴者が画面に違和感を覚えるといった問題を解消することができる。
【００４９】
（実施の形態２）
以下、本発明の実施の形態２について、図面を交えて説明する。但し、前述した実施の形態１で説明した事項については、詳細な説明を省略する。
【００５０】
前述した実施の形態１では、フレーム情報信号を送受信するための専用線を設ける必要があり、機器間の接続にＤ端子ケーブルなどが必要であったが、本実施の形態２では、映像信号にフレーム情報信号を重畳することにより、専用線を不要にし、既存のＣＶＢＳケーブルなどにより機器間を接続して、さらにコストを抑えた汎用性の高いシステムを実現する。
【００５１】
図１１は、本実施の形態２におけるディスプレイ表示システムの概略の一例を示す図である。図１１において、２３は液晶ディスプレイ表示装置１と家庭用テレビゲーム機２とを接続するためのＣＶＢＳケーブルを示す。なお、無論、ディスプレイ表示装置と映像信号出力装置とを接続する接続ケーブルはＣＶＢＳケーブルに限るものではなく、映像信号を通信可能なケーブルであればよい。
【００５２】
また、２４は属性情報信号を示す。属性情報信号２４はディスプレイ表示装置に関する属性情報を示す信号であり、例えばディスプレイ表示装置の種別や表示応答速度を映像信号出力装置に認識させる。実施の形態１においては、属性情報信号は、液晶ディスプレイ表示装置１からＤ端子ケーブルの予備ラインを通じて家庭用テレビゲーム機２へ送信されたが、本実施の形態２においては使用者によるキー入力とする。
【００５３】
図１２にキー入力画面の例を示す。家庭用テレビゲーム機２を接続している液晶ディスプレイ表示装置１の画面上に、図１２に示すような属性情報入力画面を表示し、使用者がゲーム機のコントローラ等を用いて情報を直接入力する。
【００５４】
図１２において、２５は選択メニュー用ウインドウ、２６は選択カーソルを示す。使用者は、接続しているディスプレイ表示装置の情報を、選択メニュー用ウインドウ２５内に表示されている選択メニューの中から選択カーソル２６により決定する。なお、図１２を用いて説明した属性情報の入力方法は一例であり、この方法に限らない。
【００５５】
続いて、図１３を用いて、本実施の形態２におけるフレーム情報信号について説明する。図１３（ａ）に、ＣＶＢＳケーブルを介して家庭用テレビゲーム機２から送信されるゲーム映像の映像信号の一例を示す。図１３（ａ）において、２７は映像信号の垂直帰線期間、２８は第１１Ｈラインを示す。
【００５６】
前述した実施の形態１では映像信号とは別途フレーム情報信号を送信したが、本実施の形態２では、図１３（ａ）に示すように、映像信号の垂直帰線期間２７における第１１Ｈライン２８に重畳されている。
【００５７】
図１３（ｂ）に、フレーム情報信号が重畳されている第１１Ｈラインの概略の一例を示す。図１３（ｂ）において、２９はフレーム情報信号を検出するためのスタートコード（７ビット）、３０は画像フレームの「表示」、「非表示」を指示する制御コード（8ビット）を示す。フレーム情報信号は、例えばこの２つのコードからなる。
【００５８】
図１３（ｃ）にスタートコードの一例を示す。また図１３（ｄ）に「表示」を指示する制御コードの一例を示し、図１３（ｅ）に「非表示」を指示する制御コードの一例を示す。フレーム情報信号については、重畳される位置、ビット長、その他にもさまざまな信号フォーマットが考えられるが、重畳された情報信号が分離でき、受信したパラメータから画像フレームの表示、非表示が判別できるような信号であればよい。
【００５９】
図１４に家庭用テレビゲーム機２の概略構成の一例を示す。図１４において、２４は使用者によって入力された属性情報を示す属性情報信号、３１は属性情報信号２４を入力する機構である属性情報入力部（属性情報入力手段）、８は属性情報信号２４を基に、液晶ディスプレイ表示装置１による映像信号の補正を制御するための制御信号を生成する機構であるフレーム情報信号生成部（制御信号生成手段）を示す。具体的には、フレーム情報信号生成部８は、ディスプレイ表示装置の種別や表示応答速度に応じて、表示する映像信号のフレーム周波数を変更させるための制御信号であるフレーム情報信号を生成する。
【００６０】
１１はゲーム映像の映像信号を生成する機構である映像信号生成部、３２はフレーム情報信号を映像信号に重畳する機構である信号重畳部（制御信号重畳手段）、１２はフレーム情報信号が重畳された映像信号を接続先の液晶ディスプレイ表示装置１へ送信する機構である映像信号送信部（映像信号送信手段）、３３は接続先の液晶ディスプレイ表示装置１へ送信するフレーム情報信号が重畳された映像信号を示す。
【００６１】
図１５に液晶ディスプレイ表示装置１の概略構成の一例を示す。図１５において、３３は接続先の家庭用テレビゲーム機２から送信されるフレーム情報信号が重畳された映像信号、１６は接続先の接続先の家庭用テレビゲーム機２から映像信号３３を受信する機構である映像信号受信部（映像信号受信手段）、３４は映像信号３３の垂直帰線期間に重畳されているフレーム情報信号を分離する機構であるフレーム情報分離部（制御信号分離手段）を示す。
【００６２】
３５はフレーム情報信号を基に出力制御信号を生成する機構である出力制御信号生成部、１７は出力制御信号に従い、表示する映像信号を補正する機構である出力制御部、１８は補正後の映像信号（フレーム周波数変更後の映像信号）をディスプレイパネル（画面）に表示する機構である映像表示部（表示手段）を示す。
【００６３】
出力制御部１７は、前述した実施の形態１と同様の制御を行い、表示する映像信号のフレーム周波数を変更する。具体的には、例えば、出力制御信号生成部３５が制御コード３０を基に出力制御信号として実施の形態１で説明したフレーム制御信号１０を生成するように構成すればよい。また、ここでは補正手段は出力制御信号生成部３５と出力制御部１７よりなる。
【００６４】
以上の構成により、図７を用いて説明したように、表示される映像信号のフレーム周波数を変更することができる。図１６に家庭用テレビゲーム機２の処理の手順を示す。家庭用テレビゲーム機２は、使用者により属性情報が入力されると（ステップＳ１６０１）、その属性情報を基にフレーム周波数を決定し（ステップＳ１６０２）、フレーム情報信号を生成して映像信号に重畳し（ステップＳ１６０３）、そのフレーム情報信号を重畳した映像信号３３を送信する（ステップＳ１６０４）。
【００６５】
図１７に液晶ディスプレイ表示装置１の処理の手順を示す。液晶ディスプレイ表示装置１は、接続先の家庭用テレビゲーム機２よりフレーム情報信号が重畳された映像信号３３を受信すると（ステップＳ１７０１）、映像信号３３からフレーム情報信号を分離し（ステップＳ１７０２）、該フレーム情報信号を基に、受信した映像信号をディスプレイパネル（画面）に表示するか、フレームメモリ１９内の映像信号をディスプレイパネルに表示するかを判断し（ステップＳ１７０３〜Ｓ１７０５）、受信した映像信号をディスプレイパネルに表示する場合には、その映像信号を用いてフレームメモリ１９を更新する（ステップＳ１７０６）。
【００６６】
本実施の形態２によれば、実施の形態１と同様に、ディスプレイ表示装置により表示される映像が、ディスプレイ表示装置の種別や表示応答速度に応じてフレーム周波数を変更した映像となる。その結果、映像信号出力装置からゲーム映像などの動きの激しい映像信号が送信されても、残像を抑圧し、スムーズな表示を行うことが可能となり、視聴者が画面に違和感を覚えるといった問題を解消することができる。
【００６７】
さらに、本実施の形態２によれば、フレーム情報信号を送信するための専用線を不要にし、既存のＣＶＢＳケーブルなどにより機器間を接続して、コストを抑えた汎用性の高いシステムを実現することができる。
【００６８】
（実施の形態３）
以下、本発明の実施の形態３について、図面を交えて説明する。但し、前述した実施の形態１、２で説明した事項については、詳細な説明を省略する。
【００６９】
前述した実施の形態１、２では、家庭用テレビゲーム機から送信されたフレーム情報信号を基に、実際に映像信号のフレーム周波数を変更していたのは液晶ディスプレイ表示装置であった。これに対して、本実施の形態３では、家庭用テレビゲーム機がフレーム周波数を変更する。その結果、接続先の液晶ディスプレイ表示装置では、フレーム情報信号などの情報信号が不要となり、受信した映像信号をそのまま画面に表示するだけでよくなり、実施の形態１、２に比べ、より簡易的で汎用性の高いシステムを実現できる。
【００７０】
本実施の形態３は、家庭用テレビゲーム機側で、ゲーム映像のフレーム周波数を変更する点に特徴がある。したがって、家庭用テレビゲーム機から液晶ディスプレイ表示装置へＣＶＢＳケーブルを介して送信されるのはゲーム映像のみであり、そのため、実施の形態１、２のように、液晶ディスプレイ表示装置に、フレーム情報信号を受信して処理を行うといった機構は不要となり、既存の液晶ディスプレイ表示装置を使用することができる。よって、液晶ディスプレイ表示装置については、接続先の家庭用テレビゲーム機からフレーム周波数変更後の映像信号（補正後の映像信号）を受信する機構である映像信号受信部（映像信号受信手段）と、その受信した映像信号を画面に表示する機構である映像表示部（表示手段）とを少なくとも備えればよい（図示せず。）。
【００７１】
図１８に、本実施の形態３における家庭用テレビゲーム機２の概略構成の一例を示す。２４は使用者によって入力された属性情報を示す属性情報信号、３１は属性情報信号２４を入力する機構である属性情報入力部（属性情報入力手段）、３６は属性情報信号２４を基にフレーム周波数を決定する機構であるフレーム周波数決定部を示す。
【００７２】
１１はゲーム映像の映像信号を生成する機構である映像信号生成部、３７は送信する映像信号のフレーム周波数を、フレーム周波数決定部３６により決定されたフレーム周波数に変更する機構であるフレーム周波数変換部、１２はフレーム周波数変更後の映像信号（補正後の映像信号）を液晶ディスプレイ表示装置へ送信する機構である映像信号送信部（映像信号送信手段）、３８は接続先の液晶ディスプレイ表示装置へ送信するフレーム周波数変更後の映像信号を示す。
【００７３】
ここでは、属性情報を基に映像信号を補正する補正手段は、フレーム周波数決定部３６とフレーム周波数変換部３７よりなる。フレーム周波数決定部３６は、属性情報を基に、例えば図１５に示す出力制御信号生成部３５と同様の出力制御信号を生成し、フレーム周波数変換部３７は、例えば図８に示す出力制御部と同様の構成とすればよい。
【００７４】
図１９に家庭用テレビゲーム機２の処理の手順を示す。家庭用テレビゲーム機２は、使用者により属性情報が入力されると（ステップＳ１９０１）、その属性情報を基にフレーム周波数を決定し（ステップＳ１９０２）、その決定したフレーム周波数で映像信号を送信する（ステップＳ１９０３）。
【００７５】
図２０に液晶ディスプレイ表示装置の処理の手順を示す。液晶ディスプレイ表示装置は、接続先の家庭用テレビゲーム機２よりフレーム周波数変更後の映像信号３８を受信すると（ステップＳ２００１）、その受信した映像信号３８をディスプレイパネル（画面）に表示する（ステップＳ２００２）。
【００７６】
本実施の形態３によれば、ディスプレイ表示装置は、受信した映像信号をそのまま画面に表示するだけで、ディスプレイ表示装置の種別や表示応答速度に応じたフレーム周波数で映像を画面に表示することが可能となる。したがって、実施の形態１、２と同様に、ディスプレイ表示装置により表示される映像が、ディスプレイ表示装置の種別や表示応答速度に応じてフレーム周波数を変更した映像となる。その結果、映像信号出力装置からゲーム映像などの動きの激しい映像信号が送信されても、残像を抑圧し、スムーズな表示を行うことが可能となり、視聴者が画面に違和感を覚えるといった問題を解消することができる。
【００７７】
さらに、本実施の形態３によれば、フレーム情報信号などの情報信号が不要となり、受信した映像信号をそのまま画面に表示するだけでよくなり、より簡易的で汎用性の高いシステムを実現することができる。
【００７８】
なお、上記した実施の形態１ないし３では、ディスプレイ表示装置の属性情報としてディスプレイ表示装置の種別や表示応答速度を用いたが、無論、属性情報はこれに限らず、例えばディスプレイ表示装置の解像度などを用いてもよい。
【００７９】
また、フレーム周波数を変更する補正以外にも、例えば、ディスプレイ表示装置の種別に応じてディスプレイパネルの色温度などを変更する補正（画作り）を行うこともできる。
【産業上の利用可能性】
【００８０】
本発明にかかるディスプレイ表示システム、並びに映像信号出力装置、ディスプレイ表示装置は、画質の劣化を防ぐことができ、映像信号出力装置とディスプレイ表示装置とを接続するシステムに有用である。
【図面の簡単な説明】
【００８１】
【図１】本発明の実施の形態１におけるディスプレイ表示システムの概略の一例を示す図
【図２】本発明の実施の形態１におけるＤ端子のピン配列の概略を示す図
【図３】本発明の実施の形態１における家庭用テレビゲーム機の概略構成の一例を示す図
【図４】本発明の実施の形態１における液晶ディスプレイ表示装置の概略構成の一例を示す図
【図５】本発明の実施の形態１における属性情報信号の一例を示す図
【図６】本発明の実施の形態１におけるフレーム情報信号の一例を示す図
【図７】本発明の実施の形態１における映像信号、フレーム情報信号、および実際に表示されるゲーム映像の関係を説明するための図
【図８】本発明の実施の形態１における出力制御部の概略構成の一例を示す図
【図９】本発明の実施の形態１における家庭用テレビゲーム機の処理の手順を示す図
【図１０】本発明の実施の形態１における液晶ディスプレイ表示装置の処理の手順を示す図
【図１１】本発明の実施の形態２におけるディスプレイ表示システムの概略の一例を示す図
【図１２】本発明の実施の形態２における属性情報入力画面の一例を示す図
【図１３】本発明の実施の形態２における家庭用テレビゲーム機から送信される映像信号の一例を示す図
【図１４】本発明の実施の形態２における家庭用テレビゲーム機の概略構成の一例を示す図
【図１５】本発明の実施の形態２における液晶ディスプレイ表示装置の概略構成の一例を示す図
【図１６】本発明の実施の形態２における家庭用テレビゲーム機の処理の手順を示す図
【図１７】本発明の実施の形態２における液晶ディスプレイ表示装置の処理の手順を示す図
【図１８】本発明の実施の形態３における家庭用テレビゲーム機の概略構成の一例を示す図
【図１９】本発明の実施の形態３における家庭用テレビゲーム機の処理の手順を示す図
【図２０】本発明の実施の形態３における液晶ディスプレイ表示装置の処理の手順を示す図
【図２１】一般的なディスプレイ表示システムの概略を示す図
【図２２】ディスプレイ表示装置と映像信号出力装置を例示する表を示す図
【図２３】家庭用テレビゲーム機から送り出される映像の一例を示す図
【符号の説明】
【００８２】
１      液晶ディスプレイ表示装置
２      家庭用テレビゲーム機
３      Ｄ端子ケーブルの第１の予備ライン
４      Ｄ端子ケーブルの第２の予備ライン
５      Ｄ端子ケーブルの第３の予備ライン
６      液晶ディスプレイ表示装置から送信される属性情報信号
７      属性情報信号受信部
８      フレーム情報信号生成部
９      フレーム情報信号送信部
１０      液晶ディスプレイ表示装置へ送信されるフレーム情報信号
１１      映像信号生成部
１２      映像信号送信部
１３      液晶ディスプレイ表示装置へ送信される映像信号
１４      属性情報信号送信部
１５      フレーム情報信号受信部
１６      映像信号受信部
１７      出力制御部
１８      映像表示部
１９      フレームメモリ
２０      フレームメモリから読み出された映像信号
２１      出力切換部
２２      フレーム周波数が変更された映像信号
２３      ＣＶＢＳケーブル
２４      使用者により入力される属性情報信号
２５      選択メニュー用ウインドウ
２６      選択カーソル
２７      垂直帰線期間
２８      第１１Ｈライン
２９      スタートコード
３０      制御コード
３１      属性情報入力部
３２      信号重畳部
３３      垂直帰線期間にフレーム情報信号を重畳した映像信号
３４      フレーム情報分離部
３５      出力制御信号生成部
３６      フレーム周波数決定部
３７      フレーム周波数変換部
３８      フレーム周波数が変更された映像信号
３９      ディスプレイ表示装置
４０      映像信号出力装置
４１      接続ケーブル
【図１】
2007133274.tif 000003
【図２】
2007133274.tif 000004
【図３】
2007133274.tif 000005
【図４】
2007133274.tif 000006
【図５】
2007133274.tif 000007
【図６】
2007133274.tif 000008
【図７】
2007133274.tif 000009
【図８】
2007133274.tif 000010
【図９】
2007133274.tif 000011
【図１０】
2007133274.tif 000012
【図１１】
2007133274.tif 000013
【図１２】
2007133274.tif 000014
【図１３】
2007133274.tif 000015
【図１４】
2007133274.tif 000016
【図１５】
2007133274.tif 000017
【図１６】
2007133274.tif 000018
【図１７】
2007133274.tif 000019
【図１８】
2007133274.tif 000020
【図１９】
2007133274.tif 000021
【図２０】
2007133274.tif 000022
【図２１】
2007133274.tif 000023
【図２２】
2007133274.tif 000024
【図２３】
2007133274.tif 000025